(57)【要約】【課題】印字に関する認証情報の信頼性を高める。【解決手段】印字制御装置は、確定している印字オブジェクトと前記印字オブジェクトの印字に関する未定の認証情報とに対する印字ジョブである認証付き印字ジョブを生成するジョブ生成手段と、前記認証付き印字ジョブに基づいて前記印字オブジェクトと確定した前記認証情報とをプリンタにおいて一葉に印字させる印字制御手段と、前記印字ジョブに基づいて前記プリンタが制御されている期間中に印字の状況又は状態を示す認証データを取得するとともに前記認証データに基づいて前記認証情報を確定させる認証手段と、を備える。【選択図】図３
2010079482.tif 000002
【特許請求の範囲】
【請求項１】
確定している印字オブジェクトと前記印字オブジェクトの印字に関する未定の認証情報とに対する印字ジョブである認証付き印字ジョブを生成するジョブ生成手段と、
前記認証付き印字ジョブに基づいて前記印字オブジェクトと確定した前記認証情報とをプリンタにおいて一葉に印字させる印字制御手段と、
前記認証付き印字ジョブに基づいて前記プリンタが制御されている期間中に印字の状況又は状態を示す認証データを取得するとともに前記認証データに基づいて前記認証情報を確定させる認証手段と、
を備える印字制御装置。
【請求項２】
前記印字オブジェクトはカラーチャートを含み、
前記認証手段は、前記認証付き印字ジョブに対応したコマンドである測色コマンドを前記プリンタに送信することにより、前記プリンタと連動する測色機において前記プリンタによって印字された前記カラーチャートを測色させるとともに前記認証データとして測色結果を取得し、取得した前記測色結果に基づいて前記認証情報を確定させる、
請求項１に記載の印字制御装置。
【請求項３】
前記印字制御手段は、前記カラーチャートの印字終了後に前記測色コマンドを前記プリンタに送信することにより、前記測色機によって測色される位置に前記カラーチャートが移動するように前記プリンタに送紙させ前記測色結果を取得するとともに前記測色結果に基づいて前記認証情報を確定させ、前記認証付き印字ジョブに対応した認証印字コマンドを前記プリンタに送信することにより、確定した前記認証情報を前記プリンタにおいて印字させる、
請求項２に記載の印字制御装置。
【請求項４】
前記認証手段は、前記認証付き印字ジョブに対応したコマンドであるセンサコマンドを前記プリンタに送信することにより前記プリンタから前記認証データとしてセンサデータを取得し、前記センサデータに基づいて前記認証情報を確定させる、
請求項１から３のいずれか一項に記載の印字制御装置。
【請求項５】
前記認証手段は、前記認証付き印字ジョブに基づいて前記プリンタが制御されている期間中に前記認証データとして計時データを取得し、前記計時データに基づいて前記認証情報を確定させる、
請求項１から４のいずれか一項に記載の印字制御装置。
【請求項６】
印字制御装置と前記印字制御装置に接続されたプリンタとを備える印字システムであって、
前記印字制御装置は、
確定している印字オブジェクトと前記印字オブジェクトの印字に関する未定の認証情報とに対する印字ジョブである認証付き印字ジョブを生成するジョブ生成手段と、
前記認証付き印字ジョブに対応した複数のコマンドからなる印字コマンド群をプリンタに送信する印字制御手段と、
前記印字コマンド群によってプリンタが制御されている期間中に印字の状況又は状態を示す認証データを取得するとともに前記認証データに基づいて前記認証情報を確定させる認証手段と、
を備え、
前記プリンタは、
前記印字コマンド群に基づいて前記印字オブジェクトと確定した前記認証情報とを一葉に印字する印字手段を備える、
印字システム。
【請求項７】
前記プリンタと連動する測色機をさらに備え、
前記印字オブジェクトはカラーチャートを含み、
前記認証手段は、前記認証コマンド群に含まれるコマンドである測色コマンドを前記プリンタに送信することにより前記カラーチャートの測色結果を前記認証データとして取得し、取得した前記測色結果に基づいて前記認証情報を確定させ、
前記プリンタは、前記測色コマンドに応じて送紙することにより、前記測色機によって測色される位置に前記測色パッチを移動させ、
前記測色機は、前記プリンタによって印字された前記カラーチャートを前記測色コマンドに応じて測色する、
請求項６に記載の印字システム。
【請求項８】
確定している印字オブジェクトと前記印字オブジェクトの印字に関する未定の認証情報とに対する印字ジョブである認証付き印字ジョブを生成するジョブ生成手段と、
前記認証付き印字ジョブに基づいて前記印字オブジェクトと確定した前記認証情報とをプリンタにおいて一葉に印字させる印字制御手段と、
前記認証付き印字ジョブに基づいて前記プリンタが制御されている期間中に印字の状況又は状態を示す認証データを取得するとともに前記認証データに基づいて前記認証情報を確定させる認証手段と、
としてコンピュータを機能させる印字制御プログラム。
【請求項９】
確定している印字オブジェクトと前記印字オブジェクトの印字に関する未定の認証情報とに対する印字ジョブである認証付き印字ジョブを生成し、
前記認証付き認証付き印字ジョブに基づいて前記印字オブジェクトと確定した前記認証情報とをプリンタにおいて一葉に印字させ、
前記印字ジョブに基づいて前記プリンタが制御されている期間中に印字の状況又は状態を示す認証データを取得するとともに前記認証データに基づいて前記認証情報を確定させる、
ことを含む印字制御方法。
【発明の詳細な説明】
【技術分野】
【０００１】
本発明は印字制御装置、印字システム、印字制御プログラムおよび印字制御方法に関し、特に印字に関する認証情報を印字する技術に関する。
【背景技術】
【０００２】
近年、ＤＴＰ（Desktop Publishing）においてカラープリンタを活用することにより、刷版前の色校正等が格段に容易になっている。ＬＦＰ（Large Format Printer）等を備える出力センターでは、入稿されたデータをＬＦＰ等のプリンタによって出力し、その結果得られる印刷物に認証ラベルを付すことがある（特許文献１、２等参照）。
【特許文献１】特開２００３−３４１１８８号公報
【特許文献２】特開２００３−３４５５７４号公報
【発明の開示】
【発明が解決しようとする課題】
【０００３】
認証ラベルは、色校正のための印字に用いたカラープリンタがどのような状況で印字したか、或いは、どのような状態で印字されているかを表す認証情報を印字したラベルである。認証ラベルには、例えば時刻、気温、湿度、同一のカラープリンタで印字したカラーチャートの測色結果などが印字される。このような認証ラベルは、色校正の対象となる印字オブジェクトである入稿データが印字された用紙に貼付される。
【０００４】
しかし、印字が実行される時刻、その時刻における気温・湿度、測色結果等は印字が開始されるまで未定である。したがって正確な認証情報を印字しようとすれば、ユーザによって指定された印字オブジェクトである入稿データの印字が完了した後に認証情報に対する印字ジョブを生成し、その印字ジョブに基づいて、ユーザによって指定された印字オブジェクトである入稿データが印字された用紙とは別のラベル紙に印字することになる。この場合、ユーザによって指定された印字オブジェクトである入稿データが印字された一葉と、認証情報が印字されたラベル紙との対応関係は不定であり保証されないため、認証情報の信頼性が低くなるという問題がある。
【０００５】
一方、認証情報を入稿データと同じ一葉に印字しようとすれば、例えば、印字ジョブの生成を開始する時刻を印字時刻として取得するとともに、取得したその印字時刻とともに入稿データを印字するための印字ジョブを生成することになる。しかし、実際に印字されるのは印字ジョブが生成された後であるから、このように取得した印字時刻よりも後であり、印字オブジェクトのデータサイズが大きい場合には、認証情報として印字される時刻と実際に印字オブジェクトが印字された時刻とのずれが過大（例えば１時間以上）になる。すなわち、認証情報を一葉に印字するとしても、認証情報の信頼性を担保できないという問題がある。
【０００６】
本発明は、これらの問題を解決するために創作されたものであって、印字に関する認証情報の信頼性を高めることを目的の１つとする。
【課題を解決するための手段】
【０００７】
（１）上記目的を達成するための印字制御装置は、確定している印字オブジェクトと前記印字オブジェクトの印字に関する未定の認証情報とに対する印字ジョブである認証付き印字ジョブを生成するジョブ生成手段と、前記認証付き印字ジョブに基づいて前記印字オブジェクトと確定した前記認証情報とをプリンタにおいて一葉に印字させる印字制御手段と、前記認証付き印字ジョブに基づいて前記プリンタが制御されている期間中に印字の状況又は状態を示す認証データを取得するとともに前記認証データに基づいて前記認証情報を確定させる認証手段と、を備える。
【０００８】
本発明によると、ユーザが指定するなどして確定している印字オブジェクトに対する印字ジョブに基づいてプリンタが制御されている期間中に取得する、すなわち印字ジョブが生成された後に取得する認証データに基づいて、確定している印字オブジェクトに対する印字ジョブによって印字される認証情報を確定させる。すなわち本発明によると、印字オブジェクトの一部が確定していない印字ジョブがいわば暫定的に生成され、確定している印字オブジェクトの印字を開始した後に、認証情報を確定させることになる。本発明によると、ユーザの指定等によって確定した印字オブジェクトが印字される一葉に、その印字オブジェクトの印字に関して信頼性が高い認証情報を印字することができる。なお、認証情報とは印字の状況または状態を示す文字、記号等であって、その意味内容を人間が判読可能な情報である。一方、認証データとは、コンピュータが印字の状況または状態を一義的に特定可能なデータである。
【０００９】
（２）上記目的を達成するための印字制御装置において、前記印字オブジェクトはカラーチャートを含み、前記認証手段は、前記認証付き印字ジョブに対応したコマンドである測色コマンドを前記プリンタに送信することにより、前記プリンタと連動する測色機において前記プリンタによって印字された前記カラーチャートを測色させるとともに前記認証データとして測色結果を取得し、取得した前記測色結果に基づいて前記認証情報を確定させてもよい。
【００１０】
本発明によると、カラーチャートとその測色結果に応じた認証情報とを任意の印字オブジェクトとともに一葉に印字することができる。また本発明によると、カラーチャートの印字とカラーチャートの測色とカラーチャートの測色結果の印字とを自動化できる。
【００１１】
（３）上記目的を達成するための印字制御装置において、前記印字制御手段は、前記カラーチャートの印字終了後に前記測色コマンドを前記プリンタに送信することにより、前記測色機によって測色される位置に前記カラーチャートが移動するように前記プリンタに送紙させ前記測色結果を取得するとともに前記測色結果に基づいて前記認証情報を確定させ、前記認証付き印字ジョブに対応した認証印字コマンドを前記プリンタに送信することにより、確定した前記認証情報を前記プリンタにおいて印字させてもよい。
【００１２】
本発明によると、プリンタによる送紙によってカラーチャートを測色位置に移動させる。したがって本発明によると測色機自体には紙送り機構が不要になり、カラーチャートの印字とカラーチャートの測色とカラーチャートの測色結果の印字とを自動化するために必要なシステムの構成を簡素化できる。
【００１３】
（４）上記目的を達成するための印字制御装置において、前記認証手段は、前記認証付き印字ジョブに対応したコマンドであるセンサコマンドを前記プリンタに送信することにより前記プリンタから前記認証データとしてセンサデータを取得し、前記センサデータに基づいて前記認証情報を確定させてもよい。
【００１４】
本発明によると、例えば印字ヘッドの温度、雰囲気の気温・湿度といった印字の状況を示すセンサデータであって実際に印字される時刻に取得されるセンサデータに応じた認証情報を、ユーザによって指定される任意の印字オブジェクトが印字される一葉に印字することができる。なお、センサコマンドとはプリンタに設けられたセンサの検出結果をプリンタから取得するためのコマンドである。
【００１５】
（５）上記目的を達成するための印字制御装置において、前記認証手段は、前記認証付き印字ジョブに基づいて前記プリンタが制御されている期間中に前記認証データとして計時データを取得し、前記計時データに基づいて前記認証情報を確定させる
【００１６】
本発明によると、印字ジョブを生成した後に当該印字ジョブによってプリンタが制御されている期間中に計時データを取得するため、計時データを表す認証情報の信頼性が高まる。計時データとは時刻又は時刻の関数を示すデータであって、例えば現在時刻や経過時間を示すデータである。
【００１７】
なお、請求項に記載された各手段の機能は、構成自体で機能が特定されるハードウェア資源、プログラムにより機能が特定されるハードウェア資源、又はそれらの組み合わせにより実現される。また、これら各手段の機能は、各々が物理的に互いに独立したハードウェア資源で実現されるものに限定されない。さらに、本発明は印字制御装置とプリンタとを備えた印字システムとしても、コンピュータを印字制御装置として機能させる印字制御プログラムとしても、印字制御方法としても、印字制御プログラムの記録媒体としても成立する。むろん、その印字制御プログラムの記録媒体は、磁気記録媒体であってもよいし光磁気記録媒体であってもよいし、今後開発されるいかなる記録媒体であってもよい。また、請求項に記載された動作の順序は、技術的な阻害要因がない限りにおいて記載順に限定されず、同時に実行されても良いし、記載順の逆順に実行されても良いし、連続した順序で実行されなくても良い。
【発明を実施するための最良の形態】
【００１８】
以下、本発明の実施の形態を添付図面を参照しながら説明する。尚、各図において対応する構成要素には同一の符号が付され、重複する説明は省略される。
１．ハードウェア構成
図１は、本発明の一実施形態としての印字システムを示すブロック図である。印字システムは、ＰＣ（Personal Computer）１０と、ＰＣ１０に接続されているプリンタ２０と操作部１３と表示部１４と、プリンタ２０に取り付けられている乾燥機２５と測色機３０とを備えている。
【００１９】
ＰＣ１０は、ＲＡＭ（Random Access Memory），ＣＰＵ（Central Processing Unit）、Ｉ／Ｏ等で構成される制御部１１とハードディスク装置１２とを備えている。ハードディスク装置１２には、オペレーティングシステム、プリンタドライバ１１１、カラーマネジメントプログラム１１０等の各種のコンピュータプログラムが記録されている。制御部１１は、これらのコンピュータプログラムを実行することにより印字制御装置として機能し、ユーザが指定したオブジェクトとカラーチャートと認証情報とをプリンタ２０に印字させる。ＰＣ１０は、キーボードやポインティングデバイス等からなる操作部１３とドットマトリクスディスプレイ等からなる表示部１４とを介して操作される。
【００２０】
プリンタ２０は、ＲＡＭ，ＲＯＭ（Read Only Memory）、ＣＰＵ、Ｉ／Ｏ等で構成される制御部２１と、印字オブジェクトの画像をインクジェット方式で用紙に形成する印字部２３と、用紙を搬送するための送紙部２４とを備えている。印字部２３は印字ヘッド２３ａや印字ヘッド２３ａを用紙Ｐの搬送方向に対して垂直な方向に移動させる駆動機構、モータ等で構成されている。印字ヘッド２３ａには印字ヘッド２３ａの温度を測定するための温度センサ２３ｂが取り付けられている。送紙部２４は用紙Ｐを搬送するためのローラ２４ｂ、モータ、用紙Ｐを裁断するためのカッター２４ｃ等で構成されている。乾燥機２５は送風ファン２５ａ、発熱器等で構成されている。プリンタ２０の筐体には気温と湿度とを検出するための気温センサ２０ａと湿度センサ２０ｂとが取り付けられている。
【００２１】
測色機３０は光源３０ａ、図示しない分光器、受光器３０ｂ等から構成され、プリンタ２０によって搬送される用紙Ｐに印字されているカラーチャートの各パッチについてＬａｂ値を分光測色方法によって測定する。測色機３０はＰＣ１０から送信される測色コマンドをプリンタ２０の制御部２１を介して受信する。
【００２２】
２．ソフトウェア構成
ＰＣ１０の制御部１１を印字制御装置として機能させるのは、ハードディスク装置１２に格納されているプリンタドライバ１１１およびカラーマネジメントプログラム１１０である。すなわちプリンタドライバ１１１およびカラーマネジメントプログラム１１０が本発明の印字制御プログラムの一実施形態を構成している。
【００２３】
カラーマネジメントプログラム１１０はカラーチャートの印字、カラーチャートの測色、色補正、印字認証などの機能を提供するアプリケーションプログラムであって、印字認証のための認証部１１０ａを含んでいる。認証部１１０ａは、プリンタ２０と通信することにより認証情報を確定させるためのライブラリである。すなわち認証部１１０ａは制御部１１を認証手段として機能させるプログラムモジュールである。認証付き印字ジョブとは、ユーザによって指定される任意のオブジェクトとカラーチャートと認証情報とを一葉に印字するための印字ジョブである。
【００２４】
認証情報は、ユーザによって指定される任意のオブジェクトの印字の状況または状態を認証する情報であって、その印字が実行された時刻、その印字が実行された時の気温・湿度、その印字が実行された時の印字ヘッドの温度、そのオブジェクトともに印字されたカラーチャートの測色結果などを表す文字、記号等で構成される認証情報を含む印字オブジェクトである。このような認証情報（時刻、気温、ヘッド温度、測色結果など）は、認証付き印字ジョブが生成される時には印字オブジェクトとしては確定していない。認証情報は、印字ジョブに基づいてプリンタ２０が制御されている期間中に印字オブジェクトとして確定する。例えば測色結果を表す文字又は記号は、ユーザによって指定される任意のオブジェクトとカラーチャートとの印字が完了した後、認証情報が印字される前に確定する。このため、認証付き印字ジョブは、オブジェクトを印字するためのコマンドである印字コマンドに加え、認証情報を確定するために必要な認証データを取得するためのコマンドを含む。認証データはコンピュータが印字の状態または状況を一意に特定可能なデータである。
【００２５】
図２は、任意の印字オブジェクトについて印字ジョブを生成するための操作を受け付けるためにプリンタドライバ１１１のジョブ生成部１１１ａが表示部１４の画面に表示するダイアログボックスを示している。ダイアログボックス６０は、カラーマネジメントプログラム１１０が提供するＧＵＩ（Graphical User Interface）を介してユーザが直接指定する任意のオブジェクトについて印刷が要求されると表示されるウインドウである。ＯＫボタン６３がクリックされると、アプリケーションプログラムのオブジェクトをテキストボックス６１に設定された印刷部数だけ印刷するための印字ジョブがプリンタドライバ１１１によって生成され、生成された印字ジョブがスプールキュー１１１ｂに格納される。このとき、チェックボックス６２が選択されていると認証付き印字ジョブがジョブ生成部１１１ｂによって生成される。
【００２６】
プリンタドライバ１１１のジョブ生成部１１１ａはオブジェクトを印字するための複数のコマンドからなる印字コマンド群を含む印字ジョブを生成する。認証付き印字ジョブは、印字コマンド群に加え、カラーマネジメントプログラム１１０の認証部１１０ａを呼び出し、認証部１１０ａから戻り値として認証情報を受け取るためのコマンドを含む。印字制御部１１１ｃによって呼び出された認証部１１０ａは、認証情報を確定するためのコマンドとして、測色機３０を制御して測色機３０から測色結果を取得する測色コマンドや、プリンタ２０の気温センサ２０ａ、湿度センサ２０ｂから気温及び湿度を示すセンサデータを取得するセンサコマンドをプリンタ２０に送信し、取得した測色結果およびセンサデータに基づいて認証情報を印字オブジェクトとして確定させる。このように、認証付き印字ジョブの実行中にカラーマネジメントプログラム１１０のライブラリである認証部１１０ａが実行状態となる。このため、認証付き印字ジョブの実行が終了する前にカラーマネジメントプログラム１１０の終了が指示された場合には、当該認証付き印字ジョブの実行中止を確認するダイアログボックスを画面表示することが好ましい。
【００２７】
スプールキュー１１１ｂは印字ジョブを一時的に格納するバッファを構成する。
【００２８】
印字制御部１１１ｃはスプールキュー１１１ｂに格納されている印字ジョブを順次取り出して実行する。すなわち印字制御部１１１ｃは印字ジョブを構成しているコマンドをプリンタ２０に送信することによってプリンタ２０を制御し、印字ジョブに設定されているオブジェクトをプリンタ２０において印字させる。
【００２９】
３．印字制御方法
図３は印字制御装置としてのＰＣ１０を用いた印字制御方法を示すシーケンスチャートである。図３に示す処理は図３に示すダイアログボックスにおいてチェックボックス６２がオンになっている状態でＯＫボタン６３がクリックされると起動する。
【００３０】
はじめに認証部１１０ａはユーザによって指定された任意のオブジェクトのレイアウトとカラーチャートのレイアウトと認証情報のレイアウトとを印刷条件に応じて確定させ、これらに対する印字ジョブである認証付き印字ジョブを生成する（ステップＳ１００）。認証付き印字ジョブは、プリンタを制御するためのコマンドおよびパラメータと認証情報を確定させるためのコマンドとを含むテキストデータである。認証付き印字ジョブはスプールキュー１１１ｂに格納される。この段階では、ユーザによって指定された任意のオブジェクトとカラーチャートとが印字オブジェクトとして確定しており、認証情報は印字オブジェクトとして確定していない。すなわちこの段階では、認証情報を印字するということは確定しているが、印字ヘッド２３ａの温度、気温、湿度、測色結果等を示す文字や記号である認証情報の内容は確定していない。
【００３１】
認証付き印字ジョブが実行可能な状態になると、印字制御部１１１ｃは認証付き印字ジョブを以下のように実行する。
まず印字制御部１１１ｃは印字ジョブ開始コマンドをプリンタ２０に送信する（ステップＳ１０１）。印字ジョブ開始コマンドは新しい印字ジョブの開始をプリンタ２０に通知するコマンドである。印字ジョブ開始コマンドを受信したプリンタは、印字ジョブ終了コマンドを受信するまで当該印字ジョブの制御下に置かれる。
【００３２】
次に印字制御部１１１ｃは印刷条件に応じたパラメータをプリンタ２０に送信する（ステップＳ１０２）。このパラメータには印字ジョブの識別子、ＰＣ１０の識別子、用紙Ｐの裁断の要否、印刷品質等が含まれる。
【００３３】
次に印字制御部１１１ｃは認証付き印字ジョブ開始コマンドをプリンタ２０に送信する（ステップＳ１０３）。認証付き印字ジョブ開始コマンドは、認証情報が印字される１ページに対するコマンドの送信開始をプリンタ２０に通知するコマンドである。認証付き印字ジョブ開始コマンドを受信したプリンタは、認証付き印字ジョブ終了コマンドを受信するまで当該認証付き印字ジョブの制御下に置かれる。
【００３４】
次に印字制御部１１１ｃはユーザによって指定された任意のオブジェクトとカラーチャートとを印字するためのビットマップデータである印字データをバンド単位でプリンタ２０に送信する。プリンタ２０は印字データを受信すると印字部２３および送紙部２４を制御部２１によって駆動し、ユーザによって指定された任意のオブジェクトとカラーチャートとを用紙Ｐに印字する（ステップＳ１０４）。
【００３５】
ユーザによって指定された任意のオブジェクトとカラーチャートとの印字が完了した状態では、図４に示すように任意の画像５１とカラーチャート５２とがロール紙である用紙Ｐに印字されている。画像５１はユーザによって指定された任意のオブジェクトの印字結果である。カラーチャート５２はそれぞれの色が異なる複数のカラーパッチ５２ａの集合図形である。
【００３６】
次に印字制御部１１１ｃは計時データとして現在時刻をオペレーティングシステムから取得する（ステップＳ１０５）。このとき取得される現座時刻はユーザによって指定された任意のオブジェクトの印字が完了した時刻にほぼ一致する。なお、計時データとして現在時刻を取得するタイミングは、認証付き印字ジョブの実行開始直後など、印字ジョブの実行中であればいつでもよい。例えば認証付き印字ジョブ開始コマンドの送信直前とユーザによって指定された任意のオブジェクトの印字終了直後とに現在時刻を取得し、それぞれを印字開始時刻と印字終了時刻とを表す計時データとしてもよい。
【００３７】
次に印字制御部１１１ｃはセンサデータを問い合わせるためのセンサコマンドをプリンタ２０に送信し（ステップＳ１０６）、センサデータをプリンタ２０から取得する（ステップＳ１０８）。センサコマンドを受信したプリンタ２０は、印字ヘッド２３ａに取り付けられている温度センサ２３ｂと、気温センサ２０ａと、湿度センサ２０ｂとから印字ヘッドの温度と気温と湿度とを示すセンサデータを取得し、これらのセンサデータをＰＣ１０に送信する。
【００３８】
次に印字制御部１１１ｃは乾燥コマンドをプリンタ２０に送信する（ステップＳ１０９）。乾燥コマンドを受信したプリンタ２０は乾燥機２５の発熱器と送風ファン２５ａを起動し、画像５１とカラーチャート５２とを形成しているインク全体を用紙Ｐを搬送しながら乾燥させる（ステップＳ１１０）。
【００３９】
次に印字制御部１１１ｃは測色開始コマンドをプリンタ２０に送信する（ステップＳ１１１）。測色開始コマンドを受信したプリンタ２０は測色機３０と連動するモードに遷移し、カラーチャート５２が測色機３０によって測色される位置に用紙Ｐを搬送する（ステップＳ１１２）。続いてプリンタ２０は測色制御コマンドを測色機３０に送信し（ステップＳ１１３）、カラーチャート５２の走査のために用紙Ｐを搬送する（ステップＳ１１４ａ）。測色制御コマンドを受信した測色機３０は、光源３０ａを点灯してカラーチャート５２を照明し、分光器を通じて受光器３０ｂに入射するカラーチャート５２の反射光を検出することによってカラーチャート５２を測色し（ステップＳ１１４ｂ）、測色結果をプリンタ２０に出力する（ステップＳ１１５）。
【００４０】
次に印字制御部１１１ｃは、測色結果問い合わせコマンドをプリンタ２０に送信する（ステップＳ１１６）。プリンタ２０は測色結果を測色機３０から受信すると測色結果問い合わせコマンドに対して測色結果をＰＣ１０に送信する（ステップＳ１１８）。測色結果はカラーチャート５２をＬａｂ値で読み取った画像データである。
【００４１】
印字制御部１１１ｃは測色結果を受信すると測色終了コマンドをプリンタ２０に送信する（ステップＳ１１９）。測色終了コマンドを受信するとプリンタ２０は測色機３０と連動するモードから通常の印字モードに遷移する。
【００４２】
次に印字制御部１１１ｃは、計時データとして取得した現在時刻と、センサデータとして取得した印字ヘッド２３ａの温度・気温・湿度と、測色結果とに基づいて認証情報を確定させる（ステップＳ１２０）。すなわち認証部１１０ａは、現在時刻、センサデータおよび測色結果を表すデータを、識別可能な文字列や記号からなるテキストデータに変換し、さらにその文字列や記号からなるテキストデータを印字データとしてのビットマップに変換し、印字制御部１１１ｃがその印字データとしてのビットマップを取得する。
【００４３】
次に印字制御部１１１ｃは、認証情報の印字データをバンド単位でプリンタ２０に送信する。プリンタ２０は印字データを受信すると、印字部２３および送紙部２４を制御部２１によって駆動し、認証情報を用紙Ｐに印字する（ステップＳ１２１）。
【００４４】
認証情報の印字データの送信が完了すると、印字制御部１１１ｃは認証付き印字ジョブ終了コマンドをプリンタ２０に送信する（ステップＳ１２２）。プリンタ２０は認証付き印字ジョブ終了コマンドを受信すると、裁断位置がカッター２４ｃの直下に移動するまで用紙Ｐを搬送し、カッター２４ｃによって用紙Ｐを裁断する（ステップＳ１２３）。その結果、ユーザによって指定された任意のオブジェクトとカラーチャートと認証情報とが印字された１葉の印刷物が完成する。図４においてカッター２４ｃの裁断線は破線によって例示されている。
【００４５】
以上の処理によって１葉分の認証付き印字ジョブの実行が完了すると、印字制御部１１１ｃは次葉分の認証付き印字ジョブがあるかを判定し（ステップＳ１２４）。次葉分の認証付き印字ジョブがある場合、ステップＳ１０３から上述した処理が繰り返される。次葉分の認証付き印字ジョブがない場合、印字制御部１１１ｃは印字ジョブ終了コマンドをプリンタ２０に送信し、印字ジョブの実行を完了する（ステップＳ１２５）。印字ジョブ終了コマンドを受信すると、プリンタ２０は次の印字ジョブに対応する印字ジョブ開始コマンドの受信を待つ待機モードに遷移する。
【００４６】
以上説明した実施形態によると、ユーザによって指定される任意のオブジェクトが印字される一葉の印刷物の作成がプリンタ２０によって開始されてから終了するまでの間に、その一葉の印刷物がどのような状態或いは状況で印字されたかを示すデータである認証データを取得するとともに取得した認証データに基づいて認証情報を確定させる。したがって一葉の印刷物が実際にどのような状態あるいは状況で印字されたかを正確に表す信頼性の高い認証情報を印字することができる。また本実施形態によると、そのように正確な認証情報を、その認証情報が認証している印字によって形成される画像が配置される一葉に印字する。したがって認証情報と、その認証情報が認証している印字によって形成される画像との対応関係が固定され、認証情報の信頼性がさらに高くなる。
【００４７】
４．他の実施形態
尚、本発明の技術的範囲は、上述した実施の形態に限定されるものではなく、本発明の要旨を逸脱しない範囲内において種々変更を加え得ることは勿論である。
【００４８】
例えばプリンタ２０には電子写真方式（レーザ方式・ＬＥＤ方式）、感熱方式等の構成を採用しても良い。また測色機３０には刺激値直読方法の構成を採用しても良い。また認証情報が印字される用紙Ｐは、裁断によって一葉一葉に分断されるロール紙に限らず、Ａ４等の定型の用紙であってもよい。また上記実施形態ではＰＣ１０においてラスタライズし、ＰＣ１０から印字データとしてビットマップデータを送信する形態を例示したが、ＰＣ１０からポストスクリプトデータをプリンタ２０に送信し、プリンタ２０においてラスタライズしてもよい。この場合、カラーマネジメントプログラム１１０の認証部１１０ａは認証情報の印字データとしてポストスクリプトデータを生成することによって、認証情報を印字オブジェクトとして確定させる。
【図面の簡単な説明】
【００４９】
【図１】本発明の実施形態にかかるブロック図。
【図２】本発明の実施形態にかかるダイアログボックスを示す平面図。
【図３】本発明の実施形態にかかるシーケンスチャート。
【図４】本発明の実施形態にかかる印刷物を示す平面図。
【符号の説明】
【００５０】
１０：ＰＣ、１１：制御部（印字制御装置）、１２：ハードディスク装置、１３：操作部、１４：表示部、２０：プリンタ、２０ａ：気温センサ、２０ｂ：湿度センサ、２１：制御部、２３：印字部、２３ａ：印字ヘッド、１３ｂ：温度センサ、２４：送紙部、２４ｂ：ローラ、２４ｃ：カッター、２５：乾燥機、２５ａ：送風ファン、３０：測色機、３０ａ：光源、３０ｂ：受光器、５１：画像、５２：カラーチャート、５２ａ：カラーパッチ、６０：ダイアログボックス、６１：テキストボックス、６２：チェックボックス、６３：ボタン、１１０：カラーマネジメントプログラム、１１０ａ：認証部、１１１：プリンタドライバ、１１１ａ：ジョブ生成部、１１１ｂ：スプールキュー、１１１ｃ：印字制御部、Ｐ：用紙
【図１】
2010079482.tif 000003
【図２】
2010079482.tif 000004
【図３】
2010079482.tif 000005
【図４】
2010079482.tif 000006